(57)【要約】 【課題】線状ヒータの損傷を防止するとともに、線状ヒータがパーティクルの発生源になることも防止できる。【解決手段】被処理基板を載置する支持台を有する反応炉と、反応炉にガスを供給するガス供給部と、を備えた気相成長装置を用いた気相成長方法は、被処理基板を支持台まで搬入する工程と、被処理基板を所定温度まで加熱する工程と、線状ヒータをヒータ収納部から反応炉の内部まで移動させる工程と、反応炉の内部に移動させた線状ヒータを所定温度まで加熱する工程と、線状ヒータが所定温度になると、ガス供給部から所定のガスを反応炉に供給して、被処理基板への成膜を行う工程と、被処理基板への成膜が終了すると、線状ヒータを降温させて、線状ヒータをヒータ収納部まで移動させる工程と、被処理基板を降温した後に搬出する工程と、を備える。【選択図】図１
2016111101.tif 000002
【特許請求の範囲】
【請求項１】
被処理基板を載置する支持台を有する反応炉と、
前記反応炉にガスを供給するガス供給部と、を備えた気相成長装置を用いた気相成長方法において、
被処理基板を前記支持台まで搬入する工程と、
前記被処理基板を所定温度まで加熱する工程と、
線状ヒータをヒータ収納部から前記反応炉の内部まで移動させる工程と、
前記反応炉の内部に移動させた前記線状ヒータを所定温度まで加熱する工程と、
前記線状ヒータが前記所定温度になると、前記ガス供給部から所定のガスを前記反応炉に供給して、前記被処理基板への成膜を行う工程と、
前記被処理基板への成膜が終了すると、前記線状ヒータを降温させて、前記線状ヒータを前記ヒータ収納部まで移動させる工程と、
前記被処理基板を降温した後に搬出する工程と、を備える気相成長方法。
【請求項２】
前記線状ヒータを前記ヒータ収納部から前記反応炉まで移動させる工程では、前記ヒータ収納部と前記反応炉との間の前記線状ヒータの移動経路上に設けられる開閉部を開けて、前記線状ヒータを前記ヒータ収納部から前記反応炉まで移動させ、
前記線状ヒータを前記ヒータ収納部まで移動させる工程では、前記線状ヒータを前記ヒータ収納部まで移動させた後、前記開閉部を遮断する請求項１に記載の気相成長方法。
【請求項３】
被処理基板を載置する支持台を有する反応炉と、
前記被処理基板への成膜に必要なガスを前記反応炉に供給するガス供給部と、
前記反応炉の出入口から出し入れ可能な線状ヒータと、
前記反応炉から取り出した前記線状ヒータを収納するヒータ収納部と、
前記線状ヒータの移動経路上に設けられ、前記反応炉と前記ヒータ収納部との間でのガスの流れを遮断可能な開閉部と、を備える気相成長装置。
【請求項４】
前記線状ヒータを前記ヒータ収納部に収納する第１状態と、前記線状ヒータを前記反応炉の内部に配置する第２状態との間で前記線状ヒータを移動制御するヒータ駆動部を備える請求項３に記載の気相成長装置。
【請求項５】
前記線状ヒータは、
前記線状ヒータの移動方向に延在される第１線状電極と、
線状ヒータの移動方向に延在され、前記第１線状電極よりも長い第２線状電極と、
前記第１線状電極の先端部と前記第２線状電極の先端部との間に掛け渡され、前記第１線状電極および前記第２線状電極よりもインピーダンスが高い線状導体と、を有する請求項３または４に記載の気相成長装置。
【発明の詳細な説明】
【技術分野】
【０００１】
本発明の実施形態は、線状ヒータを用いた気相成長方法および気相成長装置に関する。
【背景技術】
【０００２】
反応炉内に配置した線状ヒータを加熱触媒体として用いて、反応炉に供給されたガスを分解して、その分解種を被処理基板に堆積する気相成長方法が知られている。この気相成長方法は、Ｃａｔ−ＣＶＤ（Catalytic Chemical Vapor Deposition=触媒化学気相成長）法とも呼ばれている。
【０００３】
線状ヒータは、供給ガスを分解するための加熱触媒体として利用されることから、成膜中は反応炉内に継続して配置しておく必要がある。ところが、反応炉内に線状ヒータを配置したままにしておくと、反応炉の内壁等をクリーニングする際に供給されるエッチングガスにより、線状ヒータが損傷を受けるおそれがある。
【０００４】
また、Ｃａｔ−ＣＶＤ法による成膜を行う前に、通常のＣＶＤ法により被処理基板上に下地膜を形成する場合もある。その際、線状ヒータが反応炉内に配置されていると、下地膜を形成する材料であるガスに起因する副生成物がワイヤに付着してしまい、パーティクルの発生源となる。これにより、被処理基板上に均一な成膜ができなくなるおそれがある。
【先行技術文献】
【特許文献】
【０００５】
【特許文献１】特公平６−４５８９８号公報
【発明の概要】
【発明が解決しようとする課題】
【０００６】
本発明が解決しようとする課題は、線状ヒータの損傷を防止するとともに、線状ヒータがパーティクルの発生源になることも防止可能な気相成長方法および気相成長装置を提供するものである。
【課題を解決するための手段】
【０００７】
本実施形態では、被処理基板を載置する支持台を有する反応炉と、
前記反応炉にガスを供給するガス供給部と、を備えた気相成長装置を用いた気相成長方法において、
被処理基板を前記支持台まで搬入する工程と、
前記被処理基板を所定温度まで加熱する工程と、
線状ヒータをヒータ収納部から前記反応炉の内部まで移動させる工程と、
前記反応炉の内部に移動させた前記線状ヒータを所定温度まで加熱する工程と、
前記線状ヒータが前記所定温度になると、前記ガス供給部から所定のガスを前記反応炉に供給して、前記被処理基板への成膜を行う工程と、
前記被処理基板への成膜が終了すると、前記線状ヒータを降温させて、前記線状ヒータを前記ヒータ収納部まで移動させる工程と、
前記被処理基板を降温した後に搬出する工程と、を備える気相成長方法が提供される。
【図面の簡単な説明】
【０００８】
【図１】一実施形態による気相成長装置の概略構成を示す図。
【図２Ａ】線状ヒータをヒータ収納部に収納した第１状態を示す図。
【図２Ｂ】線状ヒータを反応炉に配置した第２状態を示す図。
【図３】線状ヒータの構造を示す図。
【図４】本実施形態による気相成長方法の処理手順の一例を示すフローチャート。
【発明を実施するための形態】
【０００９】
以下、本発明の実施の形態について、詳細に説明する。なお、本件明細書に添付する図面においては、図示と理解のしやすさの便宜上、縮尺および縦横の寸法比等を、実物のそれらから適宜変更したり、誇張してある。以下の実施形態では、一実施形態による気相成長方法および気相成長装置内の特徴的な構成および動作を中心に説明するが、気相成長方法および気相成長装置には以下の説明で省略した構成および動作が存在しうる。ただし、これらの省略した構成および動作も本実施形態の範囲に含まれるものである。
【００１０】
図１は一実施形態による気相成長装置１の概略構成を示す図である。図１の気相成長装置１は、線状ヒータ２を加熱触媒体として用いて供給ガスを分解し、その分解種を被処理基板３上に堆積するＣａｔ−ＣＶＤ装置である。
【００１１】
図１の気相成長装置１は、反応炉４と、ガス供給部５と、線状ヒータ２と、ヒータ収納部６とを備えている。
【００１２】
反応炉４は例えばステンレス製の中空構造であり、その内壁は処理ガス等と反応しないように、例えば石英ガラスにしている。ガス供給部５は、反応炉４の上部に設けられており、ガスをシャワー状に反応炉４内に供給する。反応炉４の斜め上方には、メインガス配管７とパージガス配管８とが設けられ、反応炉４の下方には排気配管９が設けられている。メインガス配管７から取り込まれたガスはガス供給部５に送られる。パージガス配管８から取り込まれたガスは、反応炉４の外周側に供給され、反応炉４の外周部分に反応副生成物が堆積することを抑制する。
【００１３】
反応炉４の内部には、被処理基板３を載置するサセプタ（支持台）１１と、このサセプタ１１を回転させる回転駆動部１２とが設けられている。回転駆動部１２の内部にはヒータ１３が設けられており、サセプタ１１を介して被処理基板３を加熱する。
【００１４】
サセプタ１１上に載置される被処理基板３は、例えばサセプタ１１の右側方向から不図示の自動搬送ロボットにて搬入されてくる。この搬送経路にはゲートバルブ１４が設けられており、被処理基板３の搬入および搬出時のみゲートバルブ１４を開けて、未処理の被処理基板３をサセプタ１１まで搬入したり、処理済みの被処理基板３をサセプタ１１から取り出して搬出する処理が行われる。
【００１５】
反応炉４の内部のサセプタ１１の上方には、線状ヒータ２が図１の左方向から出入可能とされている。反応炉４には、線状ヒータ２の出入口１５が設けられており、この出入口１５を通して、線状ヒータ２は反応炉４から出し入れされる。
【００１６】
反応炉４の例えば左側には、ゲートバルブ１６を介して、線状ヒータ２を収納するヒータ収納部６が設けられている。
【００１７】
図２Ａおよび図２Ｂはヒータ収納部６周辺の構造をより詳細に示す図であり、図２Ａは線状ヒータ２をヒータ収納部６に収納した第１状態を示し、図２Ｂは線状ヒータ２を反応炉４の内部に配置した第２状態を示している。図１では、模式的に、線状ヒータ２をヒータ収納部６に収納した第１状態と反応炉４の内部に配置した第２状態とを合わせて図示しているが、実際には、図２Ａおよび図２Ｂに示すように、線状ヒータ２は、上述した第１状態と第２状態のいずれかに位置する。
【００１８】
図２Ａおよび図２Ｂに示すように、ヒータ収納部６には、線状ヒータ２を移動させるヒータ駆動部１０が接続されている。ヒータ駆動部１０は、線状ヒータ２の移動方向に沿って伸縮するベローズ１７と、このベローズ１７を伸縮させる伸縮駆動部１８と、線状ヒータ２を片持ち状態で支持するヒータ支持部１９とを有する。
【００１９】
ヒータ支持部１９は、伸縮駆動部１８がベローズ１７を伸縮させると、ベローズ１７と一体となって移動する。ヒータ支持部１９が移動すると、それに合わせて線状ヒータ２も移動する。このように、線状ヒータ２は、ベローズ１７の伸縮に合わせて、ベローズ１７の伸縮方向に移動する。
【００２０】
伸縮駆動部１８は、例えばエアの圧力を変えることで、ベローズ１７を伸縮させる。伸縮駆動部１８は、線状ヒータ２をヒータ収納部６に収納する第１状態と、線状ヒータ２を反応炉４の内部に配置する第２状態とのいずれかになるようにベローズ１７を伸縮させる。
【００２１】
反応炉４には、線状ヒータ２の出入口１５が設けられているため、この出入口１５を通して反応炉４内にガスが漏れ出さないように、線状ヒータ２を反応炉４の内部まで移動させるときだけゲートバルブ１６を開くようにする。ヒータ支持部１９の基端部には、図１に示すように段差１９ａが設けられており、線状ヒータ２を反応炉４の内部にまで移動させた状態では、この段差１９ａの面により線状ヒータ２の移動経路を塞ぐようにしている。これにより、反応炉４の内部のガスがヒータ収納部６の方向に漏洩するのが防止される。このような構造により、線状ヒータ２を反応炉４の内部に配置した状態では、ゲートバルブ１６は開いたままでも反応炉４の内部のガスが漏洩しないようにしている。
【００２２】
図３は線状ヒータ２の構造の一例を示す図である。図示のように、線状ヒータ２は、一端がヒータ支持部１９に支持された第１線状電極２１と、同じく一端がヒータ支持部１９に支持され第１線状電極２１よりも長い第２線状電極２２と、第１線状電極２１の他端（先端）部および第２線状電極２２の他端（先端）部の間に掛け渡される線状導体２３とを有する。第１線状電極２１、第２線状電極２２および線状導体２３はいずれも、その長手方向が線状ヒータ２の移動方向に略平行である。線状導体２３の径は、第１線状電極２１および第２線状電極２２の径よりも小さいため、インピーダンスが高くなっており、第１線状電極２１と第２線状電極２２との間に所定の電圧を印加すると、線状導体２３は加熱して、ヒータとして機能する。
【００２３】
線状ヒータ２は、約２０００℃まで加熱することを想定しており、長時間使用すると、線状ヒータ２の構成部材である線状導体２３が断線するおそれがある。ヒータ収納部６は、ゲートバルブ１６にネジ止めされており、ゲートバルブ１６を閉じた状態でヒータ収納部６を取り外すことで、反応炉４に悪影響を与えることなく、線状ヒータ２を容易に交換可能としている。
【００２４】
図４は本実施形態による気相成長方法の処理手順の一例を示すフローチャートである。このフローチャートは、被処理基板３としてのウエハ上にシリコンナノワイヤを形成する処理手順を示している。
【００２５】
まず、常温の状態で、反応炉４内に、被処理基板３であるウエハを搬入して、このウエハをサセプタ１１上に載置する（ステップＳ１）。この状態では、線状ヒータ２はヒータ収納部６に収納されている。
【００２６】
次に、回転駆動部１２にてウエハを回転させ（ステップＳ２）、回転駆動部１２内のヒータ１３を加熱して、ウエハを３００〜５００℃まで昇温する（ステップＳ３）。
【００２７】
次に、ヒータ収納部６から線状ヒータ２を移動させて、反応炉４の内部に配置し、線状ヒータ２の加熱を開始する（ステップＳ４）。上述したように、ヒータ収納部６に収納された線状ヒータ２を反応炉４まで移動する際に、ゲートバルブ１６を開いて線状ヒータ２を反応炉４の出入口１５から反応炉４の内部まで移動させる。
【００２８】
次に、メインガス配管７から処理ガスを取り込んで、ガス供給部５を介して、反応炉４内に処理ガスを供給する（ステップＳ５）。この処理ガスは、線状ヒータ２にて分解し、その分解種がウエハ上に堆積し、多数のシリコンナノワイヤがウエハ上に成長する。シリコンナノワイヤを成長させるのに必要な処理ガスは、珪素化合物であり、具体的な一例としてはシラン（ＳｉＨ４）である。併せてパージガス配管８から例えば水素などのパージガスが供給される。
【００２９】
ウエハ上にシリコンナノワイヤが形成された後、ガス供給部５は反応炉４への処理ガスの供給を停止する（ステップＳ６）。
【００３０】
その後、線状ヒータ２の加熱を停止させて、線状ヒータ２を降温させた後、線状ヒータ２を反応炉４から移動させて、ヒータ収納部６に収納する（ステップＳ７）。
【００３１】
次に、回転駆動部１２内のヒータ１３の加熱を停止させて、ウエハを降温させる（ステップＳ８）。続いて、ウエハの回転を停止させて、ウエハを搬出する（ステップＳ８）。
【００３２】
上述したステップＳ１〜Ｓ８の工程を所定回数繰り返すと、反応炉４内の内壁や各種配管に処理ガス等が付着する。このため、ガス供給部５から例えばＣｌＦ3などのフッ素系のエッチングガスを反応炉４内に供給して反応炉４内のクリーニングを行う必要がある。このクリーニングの最中は、線状ヒータ２はヒータ収納部６に収納したままにし、線状ヒータ２がエッチングガスによる損傷を受けないようにする。さらに、エッチング終了後は、反応炉４内にＮ2ガスを供給して炉内にエッチングガスが残存しないようにする。
【００３３】
上述した図４のフローチャートでは、ウエハ上に直接、線状ヒータ２を加熱触媒体として用いて分解した処理ガスの分解種を堆積させる例を示したが、場合によっては、ウエハ上に下地層を形成し、その下地層の上に、上述した処理ガスの分解種を堆積する場合もありうる。下地層の形成は、線状ヒータ２を使用しないで通常のＣＶＤ法などで行われる。この場合、線状ヒータ２を反応炉４内に配置しておくと、ガス供給部５から供給された処理ガスに起因する副生成物がワイヤに付着してしまい、パーティクルの発生源となってしまうおそれがある。そこで、下地層を形成する際には、線状ヒータ２をヒータ収納部６に収納しておくのが望ましい。
【００３４】
また、ウエハ上にシリコンナノワイヤを成長させた後に、電極を形成する目的で通常のＣＶＤ法を行う場合にも、同様の理由で、線状ヒータ２はヒータ収納部６に収納しておくのが望ましい。
【００３５】
図４のフローチャートでは、シリコンナノワイヤをウエハ上に成長させる場合の工程順序を説明したが、本実施形態による気相成長方法および気相成長装置１は、シリコンナノワイヤ以外の種々の電子デバイスの製造に適用可能である。
【００３６】
また、本実施形態による気相成長方法を適用可能な電子デバイスは、必ずしも半導体デバイスだけでなく、微細構造のＭＥＭＳ（Micro Electro Mechanical Systems）も含まれる。
【００３７】
このように、本実施形態では、線状ヒータ２を加熱触媒体として用いて、供給ガスを分解させて、その分解種を被処理基板３上に堆積させる気相成長方法において、必要な場合のみ線状ヒータ２が反応炉４内に配置されるように、線状ヒータ２を反応炉４から出し入れ可能にしたため、エッチングガスによる線状ヒータ２の損傷を防止できるとともに、処理ガスに起因する副生成物が線状ヒータ２に付着することも防止できる。これにより、被処理基板上に成膜される膜の品質を向上できる。
【００３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
１  気相成長装置、２  線状ヒータ、３  被処理基板、４  反応炉、５  ガス供給部、６  ヒータ収納部、７  メインガス配管、８  パージガス配管、９  排気配管、１１  サセプタ、１２  回転駆動部、１３  ヒータ、１４  ゲートバルブ、１５  出入口、１６  ゲートバルブ、１７  ベローズ、１８  伸縮駆動部、１９  ヒータ支持部
【図１】
2016111101.tif 000003
【図２Ａ】
2016111101.tif 000004
【図２Ｂ】
2016111101.tif 000005
【図３】
2016111101.tif 000006
【図４】
2016111101.tif 000007